(57)【要約】【課題】絵画などの印刷面上に光触媒機能体を塗布し、空気中の汚染物質や悪臭成分を分解除去できる印刷製版画掛軸とその製造方法を提供する。【解決手段】画像を含む原稿をデジタル化し、このデジタルデータに基づいて原稿が印刷された生地面及び生地裏面の両面か、あるいはいずれか一方の面にアパタイト配合二酸化チタンを塗布する。また、上の吊下げバーには複数の掛け具を取付けると共に、上下の吊下げバーの両端に縁カバーを取り付ける。【選択図】　　　　　図１
2004065335.tif 000002
【特許請求の範囲】
【請求項１】
デジタルデータに基づいて原稿が印刷された生地面及び生地裏面の両面にアパタイト配合ハイブリッド二酸化チタンが塗布されていることを特徴とする印刷製版画掛軸。
【請求項２】
デジタルデータに基づいて原稿が印刷された生地面又は生地裏面のいずれかに、アパタイト配合ハイブリッド二酸化チタンが塗布されていることを特徴とする印刷製版画掛軸。
【請求項３】
生地の上端に設けられた係止プレートが上の吊下げバーの生地取付用開口部に、生地の下端に設けられた係止プレートは下の吊下げバーの生地取付用開口部にそれぞれ挿入されているとともに、上の吊下げバーの掛け具取付用開口部には複数の掛け具が左右に摺動可能に取付けられていることを特徴とする請求項１又は請求項２記載の印刷製版画掛軸。
【請求項４】
上下の吊下げバーの両端部に縁カバーが取付けられていることを特徴とする請求項１乃至請求項３のいずれか１項記載の印刷製版画掛軸。
【請求項５】
デジタルデータに基づいて原稿が印刷された生地面及び生地裏面の両面にアパタイト配合ハイブリッド二酸化チタンを塗布することを特徴とする印刷製版画掛軸の製造方法。
【請求項６】
デジタルデータに基づいて原稿が印刷された生地面又は生地裏面のいずれかにアパタイト配合ハイブリッド二酸化チタンを塗布することを特徴とする印刷製版画掛軸の製造方法。
【発明の詳細な説明】
【０００１】
【発明の属する技術分野】
本発明は、光触媒機能を有するアパタイト配合ハイブリッド二酸化チタンが塗布されている印刷製版画掛軸及びその製造方法に関する。
【０００２】
【発明が解決しようとする課題】
空気中やシート状部材の表面に付着した汚染物質や悪臭物質を分解、除去することを目的として光触媒機能体を印刷インク又は塗料に混入させる方法は、例えば、特開２００１−７９０６８号公報において、二酸化チタン等の光触媒機能体を塗料又は印刷インクに混入することが提案されている。
【０００３】
印刷インク又は塗料に光触媒機能体を混入させる方法では、塗料又は印刷インク面に照射された光は、印刷インク又は塗料に含まれた顔料にその多くが吸収され、光触媒機能体に作用する光は僅かとなり、光触媒機能体の効果は十分に発揮できないおそれがある。また、塗料膜又は印刷インク面上に光触媒機能体を塗布することにすると、塗料又は印刷インク面の色調や鮮明さが損なわれるおそれが生じる。本発明は、以上の課題を解決し、光触媒機能体の効果が十分発揮できるとともに、塗料又は印刷インク面の色調や鮮明さが損なわれない手段を提供することを目的とする。
【０００４】
【課題を解決するための手段】
請求項１に示す発明は、デジタルデータに基づいて原稿が印刷された生地面及び生地裏面の両面に、アパタイト配合ハイブリッド二酸化チタンが塗布されていることを特徴とする印刷製版画掛軸である。
【０００５】
サイズや使用写真の選定、文字の書体等を含めたレイアウトを作成した後、画像を含む原稿をスキャナーでデジタル化し、もしくは既存のＣＤ−ＲＯＭ、ＤＶＤ、ＭＯ、ＦＤ，デジタルカメラ等のデジタルデータをレイアウトに基づいて、パソコン上で出力データを作成し、インクジェットプリンター、昇華型プリンター、シルク印刷又は通常の印刷で不織布、布、紙等の生地に印刷した後、この印刷面上に、コンプレッサー、スプレー等を用いて、光触媒機能体としてアパタイト配合ハイブリッド二酸化チタンを塗布する。また印刷面のほか、印刷されていない生地裏面にもアパタイト配合ハイブリッド二酸化チタンを塗布することもある。光触媒機能体の塗布面積を広くするためである。
【０００６】
アパタイト配合ハイブリッド二酸化チタンは、二酸化チタン微粒子が分散しているカルシウムイオン水溶液にリン酸イオン水溶液を滴下し、二酸化チタン微粒子の表面上にアパタイトを主とする針状結晶を析出させることで製造される。
【０００７】
請求項２に示す発明は、デジタルデータに基づいて原稿が印刷された生地面又は印刷されていない生地裏面のいずれかに、アパタイト配合ハイブリッド二酸化チタンが塗布されていることを特徴とする印刷製版画掛軸である。
印刷された生地面かあるいは印刷されていない生地裏面かいずれかにアパタイト配合ハイブリッド二酸化チタンが塗布されていればよい。
【０００８】
請求項３に示す発明は、生地の上端に設けられた係止プレートが上の吊下げバーの生地取付用開口部に、生地の下端に設けられた係止プレートは下の吊下げバーの生地取付用開口部にそれぞれ挿入されているとともに、上の吊下げバーの掛け具取付用開口部には複数の掛け具が左右に摺動可能に取付けられていることを特徴とする請求項１又は請求項２記載の印刷製版画用掛軸である。
【０００９】
生地の上端と下端にそれぞれ係止プレートを設けて、上と下の両吊下げバーの生地取付用開口部にこれら係止プレートを挿入することで、掛軸としての機能と美観を発揮できるようにした。また、上の吊下げバーには、左右に摺動可能に複数の掛け具を取付けることで、掛け軸を壁等に取付ける場合の便宜をはかることとした。
【００１０】
請求項４に示す発明は、上下の吊下げバーの両端部に縁カバーが取付けられていることを特徴とする請求項１乃至請求項３のいずれか１項記載の印刷製版画掛軸である。
【００１１】
生地は上下の吊下げバーの生地取付用開口部に横から挿入されている。この生地取付用開口部は吊下げバーの長手方向全体に設けられており、生地を生地取付用開口部に挿入しただけでは容易に生地が吊下げバーから外れてしまうおそれがある。そこで、吊下げバーに生地を挿入した後、吊下げバーの両端に縁カバーをはめて、生地が吊下げバーから外れないようにした。
【００１２】
請求項５に示す発明は、画像を含む原稿をデジタル化し、このデジタルデータに基づいて原稿が印刷された生地面及び生地裏面の両面にアパタイト配合ハイブリッド二酸化チタンを塗布することを特徴とする印刷製版画掛軸の製造方法である。
【００１３】
サイズや使用写真の選定、文字の書体等を含めたレイアウトを作成した後、画像を含む原稿をスキャナーでデジタル化し、もしくは既存のＣＤ−ＲＯＭ、ＤＶＤ、ＭＯ、ＦＤ、デジタルカメラ等のデジタルデータをレイアウトに基づいて、パソコン上で出力データを作成し、インクジェットプリンター、昇華型プリンター、シルク印刷又は通常の印刷で不織布、布、紙等の生地に印刷した後、この印刷面上に、コンプレッサー、スプレー等を用いて、光触媒機能体としてアパタイト配合二酸化チタンを塗布する。また印刷されていない生地裏面にアパタイト配合二酸化チタンを塗布することもある。光触媒機能体の塗布面積を広くするためである。
【００１４】
アパタイト配合ハイブリッド二酸化チタンは、二酸化チタン微粒子をカルシウムイオン水溶液に分散させた後、カルシウムイオン水溶液にリン酸イオン水溶液を滴下させ、二酸化チタン微粒子にアパタイトを主とする針状結晶を析出させることで製造する。
【００１５】
請求項６に示す発明は、デジタルデータに基づいて原稿が印刷された生地面、又は生地裏面のいずれかにアパタイト配合ハイブリッド二酸化チタンを塗布することを特徴とする印刷製版画掛軸の製造方法である。印刷された生地面か、印刷されていない生地裏面のいずれかにアパタイト配合ハイブリッド二酸化チタンを塗布するものである。
【００１６】
【発明の実施の形態】
本発明の実施の形態を図に基づいて説明する。
図１は、本発明の印刷製版画掛軸の斜視図である。生地１は、不織布、紙、布等のうち、印刷インクの付着性のよいものを用いる。素材としてポリエステル、アクリル、ナイロンなどの合成繊維、アセテートなどの半合成繊維、レーヨン等の再生繊維、綿や麻及び木材パルプ等のセルロース繊維、絹、羊毛等の動物繊維等が含まれるが特に限定するものではない。
【００１７】
絵画印刷面２は、デジタルデータをレイアウトに基づいて、パソコン上で出力データを作成し、生地１上に印刷して作製される。
【００１８】
生地１の上端と下端には吊下げバー３，３が取付けられており、上の吊下げバー３の掛け具取付用開口部１２に左右に摺動可能なように複数の掛け具５，５，・・・が取付けられている。
【００１９】
吊下げバー３，３には、それぞれ両端に縁カバー４，４，・・・が取付けられている。
【００２０】
図２は、本発明の印刷製版画掛軸の製造方法を示す製造フローである。
（１）生地は印刷インクの付着性の良い不織布、布、紙を使用する。生地の素材はポリエステル、アクリル、ナイロン等の合成繊維、アセテート等の半合成繊維、レーヨンなどの再生繊維、綿や麻及び木材パルプ等のセルロース繊維、絹、羊毛等の動物繊維等があるが特に限定するものではない。
【００２１】
生地は原反のままではなく、必要なサイズに切断して台紙に貼り付けて使用すると良い。
【００２２】
（２）印刷は、インクジェットプリンター、昇華型プリンター、シルク印刷、染色、その他通常の印刷でもよい。
【００２３】
（３）塗布は、アパタイト配合ハイブリッド二酸化チタンをエアコンプレッサー及びスプレーガンを用いて印刷面上に均一に吹付ける。吹付け量はおよそ３０〜４０ｃｃ／ｍ２とする。生地裏面にアパタイト配合二酸化チタンを塗布することもある。
【００２４】
（４）乾燥はアパタイト配合ハイブリッド二酸化チタン吹付け塗布後、１５分間程度自然乾燥させて、アパタイト配合ハイブリッド二酸化チタンを印刷面上に十分に固着させる。印刷されていない生地裏面にアパタイト配合二酸化チタンを塗布する場合も同様に作業する。
【００２５】
（５）裁断は必要な部分のみを残して不要部分をカットする。
【００２６】
（６）組立は、印刷した生地１の上下に吊下げバー３，３を取付け、上の吊下げバー３には上面に掛け具取付用開口部１２があり、この掛け具取付用開口部１２中に左右に摺動可能となるよう掛け具５，５，・・・を複数箇所に取付ける。吊下げバー３，３の両端部には縁カバー４，４，・・・を付ける。
【００２７】
アパタイト配合ハイブリッド二酸化チタンは、二酸化チタン微粒子をカルシウムイオン水溶液に分散した後、リン酸イオン水溶液を滴下すると二酸化チタン微粒子の表面上にアパタイトを主とする針状結晶が析出することで製造される。ここで二酸化チタンとしてはアナターゼ型を用いることが好ましい。カルシウムイオン水溶液として例えばＣａ（ＮＯ３）２を蒸留水に加えた後、ＮａＯＨでｐＨを８〜１０に調整する。リン酸イオン水溶液としては（ＮＨ４）２ＨＰＯ４の水溶液を用いるとよい。
【００２８】
二酸化チタン微粒子の表面にアパタイトを主とする針状結晶を析出させることで、二酸化チタン微粒子が直接生地に接触しないため、生地の劣化、損傷が回避できる。またアパタイトが針状結晶であるため、汚染物質が二酸化チタンの触媒作用により分解除去される場合、二酸化チタンの光触媒作用が低下するおそれは少ない。また印刷面の色調や鮮明度の低下もほとんど影響を受けない。さらに、アパタイト配合ハイブリッド二酸化チタンを印刷面上に吹付けたとき、アパタイトの針状結晶は印刷インク面に入り込み、印刷面上に固定される効果が期待できる。
【００２９】
図３は本発明の印刷製版画掛軸の部分断面拡大説明図である。
生地１の表面に絵画印刷面２があり、この絵画印刷面２の中に、アパタイト配合ハイブリッド酸化チタン６の表面に析出しているアパタイト８の針状結晶が一部嵌入している状態を示した。
アパタイトは汚染物質や悪臭物質を吸着する特性があり、二酸化チタンは光を受けてアパタイトに吸着された汚染物質や悪臭物質を分解除去する。
また、アパタイトは針状結晶であるため、光が二酸化チタンに到着することを妨害することは少ない。
【００３０】
図４は上の吊下げバー３に掛け具５と生地１を取付けた状態の横断面図である。掛け具取付用開口部１２に掛け具５が挿入され、生地取付用開口部１３に生地１に設けた係止プレート１６が挿込まれている。
【００３１】
図５は、吊下げバー３の横断面図である。掛け具取付用開口部１２と生地取付用開口部１３は、吊下げバー３の長手方向全体に切り込まれているので、吊下げバー３が左右に分断されないよう保持板１０で左右が連結されており、保持板１０には補強のためリブ１１が設けられている。
【００３２】
掛け具取付用開口部１２の両端面には嵌込み凸起１４，１４が設けられ、掛け具５の嵌込み溝１７，１７が嵌合するよう構成されている。
【００３３】
生地取付用開口部１３の内側には、係止部１５が凸起され、係止プレート１６が吊下げバー３に挿入されたとき、係止プレート１６は係止部１５で把持されるように構成されている。
【００３４】
図６は、掛け具５の側断面であり、掛け具５の下部両側面に嵌込み溝１７，１７が設けられ、吊下げバーの嵌込み凸起１４，１４と嵌合するようになっている。
【００３５】
本発明に係る印刷製版画掛軸の組立は、上の吊下げバー３の生地取付用開口部１３に、生地１の上端に設けられた係止プレート１６を横から挿入し、また、複数の掛け具５，５，・・・を掛け具取付用開口部１２に横から挿入した後、上の吊下げバー３の両端に縁カバー４，４を嵌め込む。
【００３６】
次に生地１の下端に設けた係止プレート１６を下の吊下げバー３の生地取付用開口部１３に横から挿入し、吊下げバー３の両端に縁カバー４，４を嵌め込んで生地１が吊下げバー３から外れないようにする。
【００３７】
【発明の効果】
請求項１記載の発明によれば、画像を含む原稿が印刷された生地面及び生地裏面の両面にアパタイト配合ハイブリッド二酸化チタンが塗布されており、ホルムアルデヒドやその他の汚染物質や悪臭物質はアパタイトに吸着されて空気中から除去されると共に、二酸化チタンの光触媒作用により分解され、抗菌、消臭、防汚の効果も期待できる。また生地裏面にもアパタイト配合ハイブリッド二酸化チタンを塗布することで塗布面積を拡大し、光触媒作用を強化させることができる。
【００３８】
二酸化チタン表面に析出したアパタイトの針状結晶は、アパタイト配合ハイブリッド二酸化チタン粒子を印刷インク面上に固定する働きを有するほか、光が二酸化チタンに到達することをほとんど妨害せず、また印刷インク面の色調や鮮明度に悪影響を与えないという効果がある。またアパタイトの針状結晶があるため、二酸化チタン粒子が直接生地に接触することが防止されているため、生地が二酸化チタンの光触媒作用で劣化損傷することが防止される。
【００３９】
請求項２に記載の発明によれば、印刷された生地面か、印刷されていない生地裏面のいずれか一方にのみアパタイト配合ハイブリッド二酸化チタンを塗布するものであり、生地の片面のみの塗布でもその効果が発揮される。
【００４０】
請求項３記載の発明によれば、上の吊下げバーに掛け具が左右に移動可能に複数取付けられており、取付け位置に合わせて掛け具の位置が調整でき、掛軸として使用するのに便利な構造となっており、壁に取付けるだけで容易に室内環境を改善することができる。また、生地の下端に下の吊下げバーを取付けることで、掛軸として使用するとき、安定した状態で使用することができる。
【００４１】
請求項４記載の発明によると、上下の吊下げバーの両端部に縁カバーが取付けられているため、掛軸として使用するときの美観を向上させる効果が期待できるとともに、吊下げバーが生地から外れないようにすることができる。
【００４２】
請求項５記載の発明によると、アパタイト配合ハイブリッド二酸化チタンを絵画印刷面上及び生地裏面に塗布することで大気中の汚染物質、悪臭物質を効果的に分解、除去できる印刷製版画掛軸を製造することができる。
【００４３】
請求項６記載の発明によると、印刷された生地面又は印刷されていない生地裏面のいずれかにアパタイト配合ハイブリッド二酸化チタンが塗布された印刷製版画掛軸が製造できる。生地の片面にのみアパタイト配合ハイブリッド二酸化チタンを塗布することで効果が期待できる場合があるからである。
【図面の簡単な説明】
【図１】本発明の印刷製版画掛軸の斜視図である。
【図２】本発明の印刷製版画掛軸の製造工程を示すフローチャートである。
【図３】本発明の印刷製版画掛軸の部分断面拡大図である。
【図４】上の吊下げバーに掛け具と生地を取付けた状態の横断面図である。
【図５】吊下げバーの横断面図である。
【図６】掛け具の側面図である。
【符号の説明】
１　生地
２　絵画印刷面
３　吊下げバー
４　縁カバー
５　掛け具
６　アパタイト配合ハイブリッド二酸化チタン
７　二酸化チタン
８　アパタイト
９　光
１０　保持板
１１　リブ
１２　掛け具取付用開口部
１３　生地取付用開口部
１４　嵌込み凸起
１５　係止部
１６　係止プレート
１７　嵌込み溝
【図１】
2004065335.tif 000003
【図２】
2004065335.tif 000004
【図３】
2004065335.tif 000005
【図４】
2004065335.tif 000006
【図５】
2004065335.tif 000007
【図６】
2004065335.tif 000008